(57)【特許請求の範囲】
【請求項１】
ループ状に形成され導出されたケーブルの基端部がテープによって固定され筺体内に設けられたアンテナコイルと、このアンテナコイルに対応して筺体の外面に対接するように設けられた媒体対向部材と、この媒体対向部材に媒体を近づけることにより、媒体のアンテナ部と前記アンテナコイルとの間で情報の授受を行わせ媒体に記録されている情報を処理する媒体処理部とを備えた非接触型媒体処理装置において、
前記筺体に互いに対向した位置からずらした二つの孔を設け、
前記媒体対向部材に、前記孔から筺体内に臨み前記アンテナコイルの互いに対向する内周部のそれぞれに対接する二つの弾性係合片を突設し、
この弾性係合片の先端部に、前記アンテナコイルを係合させることにより、アンテナコイルを前記筺体とで挟持する爪を設け、
前記筺体の内側に、前記二つの孔が互いに対向する方向と直交する方向に設けられ前記アンテナコイルの互いに対向する内周部のそれぞれに対接する二つの互いに全長の異なる支持壁を設けたことを特徴とする非接触型媒体処理装置。
【発明の詳細な説明】
【技術分野】
【０００１】
本発明は、非接触状態で処理する媒体を装置内に設けたアンテナ部に対向させることを意識付ける媒体対向部材を備えた非接触型媒体処理装置に関するものである。
【背景技術】
【０００２】
従来の非接触型媒体処理装置としては、筺体の内部に設けられたアンテナ基板と、このアンテナ基板に対応して筐体の表面に設けられ、媒体をアンテナ基板に対向させることを意識付けるカード対向部材とが備えられ、カードをカード対向部材に近づけることにより、カードに設けられたアンテナ部とアンテナ基板との間で情報の授受を行わせ、カードに記録されている情報を処理するものがある（例えば、特許文献１参照）。
【特許文献１】特開２００１−２６６０８４号公報（段落「００１３」〜「００１５」、図１および図３）
【発明の開示】
【発明が解決しようとする課題】
【０００３】
上述した従来の非接触型媒体処理装置においては、カード対向部材とアンテナ基板とを筺体に個別に取り付けるようにしているため組付け工数が増加するという問題があった。また、アンテナ基板を筺体に立設したスタッドにねじによって取り付ける構造であるため、部品点数が増加するだけではなくねじ締めによる作業時間が長くなるという問題もあった。
【０００４】
本発明は上記した従来の問題に鑑みなされたものであり、その目的とするところは、組付け工数の削減と部品点数の削減とを図った非接触型媒体処理装置を提供するところにある。
【課題を解決するための手段】
【０００５】
この目的を達成するために、本願発明は、ループ状に形成され導出されたケーブルの基端部がテープによって固定され筺体内に設けられたアンテナコイルと、このアンテナコイルに対応して筺体の外面に対接するように設けられた媒体対向部材と、この媒体対向部材に媒体を近づけることにより、媒体のアンテナ部と前記アンテナコイルとの間で情報の授受を行わせ媒体に記録されている情報を処理する媒体処理部とを備えた非接触型媒体処理装置において、前記筺体に互いに対向した位置からずらした二つの孔を設け、前記媒体対向部材に、前記孔から筺体内に臨み前記アンテナコイルの互いに対向する内周部のそれぞれに対接する二つの弾性係合片を突設し、この弾性係合片の先端部に、前記アンテナコイルを係合させることにより、アンテナコイルを前記筺体とで挟持する爪を設け、前記筺体の内側に、前記二つの孔が互いに対向する方向と直交する方向に設けられ前記アンテナコイルの互いに対向する内周部のそれぞれに対接する二つの互いに全長の異なる支持壁を設けたものである。
【発明の効果】
【０００７】
本願発明によれば、弾性係合片を弾性変形させながら、爪にアンテナコイルを係合させることにより、アンテナコイルが筺体に取り付けられると同時に、媒体対向部材も筺体に取り付けられるから、組付け工数を削減することができるとともに組付けのための作業時間を短縮することもできる。また、媒体対向部材とアンテナコイルとを筺体に取り付けるためのねじ等の部品が不要になるため部品点数を削減することができる。また、支持壁にアンテナコイルを支持することができるため、筺体にアンテナコイルをより一層確実に支持することができる。
【発明を実施するための最良の形態】
【０００９】
以下、本発明の実施の形態を図に基づいて説明する。図１は本発明に係る非接触型媒体処理装置を示し、同図（Ａ）は正面図、同図（Ｂ）は側面図、図２（Ａ）は同じくフロントケースにアンテナコイルを実装した状態を示す要部の背面図、同図（Ｂ）は同図（Ａ）におけるII（Ｂ）-II（Ｂ） 線断面図、図３は同じくフロントケースの要部を示す背面図、図４（Ａ）は同じく媒体対向部材の背面図、同図（Ｂ）は同図（Ａ）におけるIV（Ｂ）-IV（Ｂ） 線断面図、図５は図２（Ｂ）を拡大した断面図で、アンテナコイルと媒体対向部材２５とをフロントケース２に取り付けるための作業を示す。
【００１０】
図１に全体を符号１で示す非接触型媒体処理装置（以下、単に処理装置という）は、共に一面が開口され浅底状に形成されたフロントケース２およびリアーケース３によって構成されており、これら両ケース２，３の互いの開口を対向させるようにして両ケース２，３を結合することにより筐体４が形成される。５はフロントケース２の側部に基端部が回転自在に支持されたアンテナであって、この処理装置１の外部に設置される図示を省略した多数のセンサによって検出された情報を無線によって受信するためのものである。６は処理装置１の電源ランプ、７は図示を省略したセンサによって異常が検出されると点灯する表示ランプである。８は非常用の押しボタン、９、１０は処理装置１の作動モードを切り替える押しボタンである。
【００１１】
図２において、１２は多数のコイルを被覆材によって束ねたアンテナコイルであって、互いに対向する短辺部１３，１４と互いに対向する長辺部１５，１６とによって、平面視において略長方形を呈するループ状に形成されている。１７はアンテナコイル１２の短辺部１３と長辺部１５とから導出されたケーブルであって、各基端部がテープ１８，１９によって短辺部１３と長辺部１５とに固定されている。アンテナコイル１２はこのケーブル１７を介して図示を省略したカード処理部に電気的に接続されている。
【００１２】
フロントケース２には、図３に示すように、一対の長方形の孔２０，２１が設けられており、これら孔２０，２１は、互いに矢印Ｃ−Ｄ方向に距離δだけ位置をずらした状態で、矢印Ａ−Ｂ方向において対向している。また、フロントケース２の内側には、矢印Ａ−Ｂ方向と直交する矢印Ｃ−Ｄ方向において互いに対向する支持壁２２，２３が立設されている。これら支持壁２２の矢印Ｄ方向の端面２２ａと支持壁２３の矢印Ｃ方向の端面２３ａとの間の距離Ｌ１は、アンテナコイル１２の長辺部１５の矢印Ｃ方向の端面１５ａと長辺部１６の矢印Ｄ方向の端面１６ａとの間の間隔ｌ１よりもわずかに大きく形成されている。また、支持壁２３の矢印Ａ−Ｂ方向の寸法が、支持壁２２の矢印Ａ−Ｂ方向の寸法よりも長く形成されている。
【００１３】
図１（Ａ）において、２５はプラスチックによって円板状に形成された媒体対向部材であって、表面側に媒体としての非接触型ＩＣカード（以下、単にカードという）を近づけて使用できることを操作者に意識付けるマーク２６が表記されている。また、この媒体対向部材２５の裏面には、図４に示すように一対の弾性係合片２７，２８が一体に立設されており、弾性係合片２７の矢印Ｂ方向の端面２７ａと弾性係合片２８の矢印Ａ方向の端面２８ａとの間の距離Ｌ２は、アンテナコイル１２の短辺部１３の矢印Ｂ方向の端面１３ａと短辺部１４の矢印Ａ方向の端面１４ａとの間の間隔ｌ２よりもわずかに大きく形成されている。また、これら弾性係合片２７，２８は、媒体対向部材２５をフロントケース２の外面に対接させることにより、図２（Ｂ）に示すようにフロントケース２の孔２０，２１からフロントケース２内に臨むように形成されている。
【００１４】
弾性係合片２７の先端部には、図５に示すように矢印Ｂ方向に突設された爪２７ｂが設けられている。弾性係合片２８の先端部には、矢印Ａ方向に突設された爪２８ｂが設けられており、この爪２８ｂの上端面には、矢印Ａ方向に向かって図中下方に傾斜した案内面２８ｃが形成されている。これら弾性係合片２７，２８の爪２７ｂ，２８ｂのフロントケース２からの高さｔは、媒体対向部材２５をフロントケース２の表面に対接させた図５の状態において、アンテナコイル１２の厚みＴよりもわずかに小さく形成されている。３０は透明部材によってレンズ状に形成された表面パネルであって、媒体対向部材２５を覆うように媒体対向部材２５に取り付けられている。
【００１５】
次に、図２および図５を用いて、このように構成された非接触媒体処理装置１において、媒体対向部材２５とアンテナコイル１２とをフロントケース２に取り付ける作業について説明する。先ず、表面パネル３０が取り付けられた媒体対向部材２５の弾性係合片２７，２８を、フロントケース２の孔２０，２１からフロントケース２内に臨ませて、媒体対向部材２５を図５に示すようにフロントケース２の外面に対接させる。次いで、アンテナコイル１２の短辺部１４の矢印Ａ方向の端面１４ａを弾性係合片２７の矢印Ｂ方向の端面２７ａに対接させる。
【００１６】
この状態で、アンテナコイル１２の短辺部１４の矢印Ａ方向の端面１４ａを回動中心として、短辺部１３を図中反時計方向Ｆに回動させると短辺部１３の下端が弾性係合片２８の案内面２８ｃに当接する。さらに、短辺部１３を図中反時計方向Ｆに回動させると、弾性係合片２８が図中二点鎖線で示すように弾性変形するので、短辺部１３が、図２（Ｂ）に示すように爪２８ｂとフロントケース２の裏面との間に挟持される。このとき、弾性係合片２８に矢印Ａ方向に向かって図５中下方に傾斜した案内面２８ｃが形成されていることにより、短辺部１３が案内面２８ｃに案内されて爪２８ｂとフロントケース２の裏面との間に挟持されるから媒体対向部材２５をフロントケース２に取り付ける作業が容易になる。
【００１７】
ここで、弾性係合片２７，２８の爪２７ｂ，２８ｂのフロントケース２からの高さｔが、媒体対向部材２５をフロントケース２の外面に対接させた図５の状態において、アンテナコイル１２の厚みＴよりもわずかに小さく形成されている。このため、爪２７ｂ，２８ｂとフロントケース２の裏面との間に挟持された媒体対向部材２５は、図２（Ｂ）中上下方向の移動が規制される。
【００１８】
また、弾性係合片２７の矢印Ｂ方向の端面２７ａと弾性係合片２８の矢印Ａ方向の端面２８ａとの間の距離Ｌ２が、アンテナコイル１２の短辺部１３の矢印Ｂ方向の端面１３ａと短辺部１４の矢印Ａ方向の端面１４ａとの間の間隔ｌ２よりもわずかに大きく形成されている。このため、弾性係合片２７，２８の端面２７ａ，２８ａのそれぞれに、短辺部１４，１３の端面１４ａ，１３ａが対接されたアンテナコイル１２は矢印Ａ−Ｂ方向への移動が規制される。
【００１９】
また、支持壁２２の矢印Ｄ方向の端面２２ａと支持壁２３の矢印Ｃ方向の端面２３ａとの間の距離Ｌ１が、アンテナコイル１２の長辺部１５の矢印Ｃ方向の端面１５ａと長辺部１６の矢印Ｄ方向の端面１６ａとの間の間隔ｌ１よりもわずかに大きく形成されている。このため、支持壁２２，２３の端面２２ａ，２３ａのそれぞれに、長辺部１５，１６の端面１５ａ，１６ａが対接されたアンテナコイル１２は矢印Ｃ−Ｄ方向への移動が規制される。
【００２０】
このように、弾性係合片２７，２８の爪２７ｂ，２８ｂとフロントケース２の内面との間に、アンテナコイル１２が挟持されると同時に媒体対向部材２５もフロントケース２に取り付けられるから、組付け工数を削減することができるとともに取付けに要する作業時間が短縮される。また、これらアンテナコイル１２および媒体対向部材２５の取付けに当たっては、弾性係合片２７，２８の弾性変形を利用して行うことにより、ねじ等の部品が不要になるから部品点数を削減することができる。また、弾性係合片２７，２８だけでなく、支持壁２２，２３によってアンテナコイル１２を支持するようにしたことにより、フロントケース２にアンテナコイル１２をより一層確実に支持することができる。
【００２１】
ここで、仮に、アンテナコイル１２を、図２（Ａ）中１８０°反転させた状態で取り付けようとした場合は、支持壁２３の矢印Ａ−Ｂ方向の寸法が、支持壁２２の矢印Ａ−Ｂ方向の寸法よりも長く形成されている。このため、支持壁２２に干渉しなかったテープ１９が支持壁２３に干渉するから、誤ってアンテナコイル１２を反転させた状態で取り付けられることが阻止できる。同時に、孔２０，２１を互いに矢印Ｃ−Ｄ方向に距離δだけ位置をずらしているため、孔２１からフロントケース２内に臨む弾性係合片２８には干渉しなかったテープ１８が、孔２０からフロントケース２内に臨んでいる弾性係合片２７に干渉するから、誤ってアンテナコイル１２を反転させた状態で取り付けられることも阻止できる。
【００２２】
このように、フロントケース２に取り付けられた媒体対向部材２５に非接触型の媒体を近づけると、図示を省略した媒体処理部によって、媒体のアンテナ部とアンテナコイル１２との間で情報の授受が行われ、媒体に記録されている情報が読み取られる。読み取られた媒体の情報が認証されれば、処理装置１が作動可能な状態となる。したがって、操作者は、押しボタン９，１０のいずれかを選択して押すことにより処理装置１の作動モードを選択することができる。また、作動可能な状態になっている処理装置１の媒体対向部材２５に再び非接触型の媒体を近づけると、作動可能な状態が解除される。
【００２３】
なお、本実施の形態においては、弾性係合片２７，２８を二つ設けた例を説明したが、必要に応じて３つ以上設けてもよく、その場合は孔２０，２１も弾性係合片の数量に対応させるようにすればよい。また、本実施の形態においては、弾性係合片２７，２８の爪２７ｂ，２８ｂの外形寸法を同一にしているが、必ずしも同一の寸法とする必要はない。
【図面の簡単な説明】
【００２４】
【図１】本発明に係る非接触型媒体処理装置を示し、同図（Ａ）は正面図、同図（Ｂ）は側面図である。
【図２】同図（Ａ）は本発明に係る非接触型媒体処理装置のフロントケースにアンテナコイルを実装した状態を示す要部の背面図、同図（Ｂ）は同図（Ａ）におけるII（Ｂ）-II（Ｂ） 線断面図である。
【図３】本発明に係る非接触型媒体処理装置におけるフロントケースの要部を示す背面図である。
【図４】同図（Ａ）は本発明に係る非接触型媒体処理装置における媒体対向部材の背面図、同図（Ｂ）は同図（Ａ）におけるIV（Ｂ）-IV（Ｂ） 線断面図である。
【図５】図２（Ｂ）を拡大した断面図で、アンテナコイルと媒体対向部材２５とをフロントケース２に取り付けるための作業を示す。
【符号の説明】
【００２５】
１…非接触型媒体処理装置、２…フロントケース、１２…アンテナコイル、２２，２３…支持壁、２５…媒体対向部材、２６…マーク、２７，２８…弾性係合片、２７ｂ，２８ｂ…爪。
【図１】
0004760492.tif 000002
【図２】
0004760492.tif 000003
【図３】
0004760492.tif 000004
【図４】
0004760492.tif 000005
【図５】
0004760492.tif 000006